(57)【特許請求の範囲】
【請求項１】
内部にインペラが収容され、前記インペラが回転することで流入された液体を圧送するポンプ部と、
樹脂により構成され、前記インペラの回転軸線方向に延在された筒状に形成されて前記インペラを回転させるモータ部を収容すると共に、長手方向一端部に前記インペラの径方向外側へ延出されたハウジング側フランジ部を有するモータハウジングと、
金属により構成されると共に、前記モータハウジングの長手方向一方側に隣接し且つ前記モータハウジング側へ開口された有底筒状に形成され、前記モータ部の駆動を制御する回路基板を覆うカバーと、
前記ハウジング側フランジ部の先端部に設けられ、前記ハウジング側フランジ部から前記モータハウジングの長手方向一方側へ突出されて前記カバーの開口端部を囲繞すると共に、前記カバーの開口端部との間にシール材が充填されるシール材充填部を形成する囲繞壁と、
前記ハウジング側フランジ部に設けられ、前記ハウジング側フランジ部から前記モータハウジングの長手方向一方側へ突出されて前記シール材充填部の内部に配置され、前記シール材によって突出部分が視認不能に埋められると共に、先端の位置が前記シール材のシール高さの下限の位置に設定されている突出ピンと、
を備え、
前記カバーの開口端には、前記カバーの径方向外側へ延出され且つ前記シール材充填部に配置されたカバー側フランジ部が形成されており、
前記カバー側フランジ部には、前記突出ピンが挿入されるカバー側孔部が形成されており、前記モータハウジングに対する前記カバーの位置が前記突出ピンによって決定される液体ポンプ。
【請求項２】
内部にインペラが収容され、前記インペラが回転することで流入された液体を圧送するポンプ部と、
樹脂により構成され、前記インペラの回転軸線方向に延在された筒状に形成されて前記インペラを回転させるモータ部を収容すると共に、長手方向一端部に前記インペラの径方向外側へ延出されたハウジング側フランジ部を有するモータハウジングと、
金属により構成されると共に、前記モータハウジングの長手方向一方側に隣接し且つ前記モータハウジング側へ開口された有底筒状に形成され、前記モータ部の駆動を制御する回路基板を覆うカバーと、
前記ハウジング側フランジ部の先端部に設けられ、前記ハウジング側フランジ部から前記モータハウジングの長手方向一方側へ突出されて前記カバーの開口端部を囲繞すると共に、前記カバーの開口端部との間にシール材が充填されるシール材充填部を形成する囲繞壁と、
前記ハウジング側フランジ部に設けられ、前記ハウジング側フランジ部から前記モータハウジングの長手方向一方側へ突出され且つ前記シール材充填部の内部に配置されるピン本体部と、前記ピン本体部の先端から前記モータハウジングの長手方向一方側へ突出され且つ前記ピン本体部よりも断面積が小さく設定された先端突出部と、を含んで構成され、前記先端突出部の基端が前記シール材によって視認不能に埋められると共に、前記先端突出部の基端の位置が前記シール材のシール高さの下限の位置に設定され且つ前記先端突出部の先端の位置が前記シール材のシール高さの上限の位置に設定されている突出ピンと、
を備えた液体ポンプ。
【請求項３】
前記モータハウジングには、前記モータ部を覆うと共に前記カバー側へ開放された有底筒状のホルダが収容され、
前記ホルダの開口端には、前記囲繞壁側へ延びると共に前記カバー側フランジ部に対して前記モータハウジングの長手方向他方側に隣接して配置されたホルダ側フランジ部が形成されている請求項１に記載の液体ポンプ。
【請求項４】
前記囲繞壁の内周面には、段差部が形成されており、
前記段差部は、
前記囲繞壁の基端側に配置された基端側内周面と、
前記基端側内周面から前記カバーの開口端部に対して離間する方向に延出された段差面と、
前記段差面に接続されて前記囲繞壁の先端側に配置された先端側内周面と、
を含んで構成され、
前記段差面が前記シール材のシール高さの下限に設定されて、前記段差面に前記シール材が接触されている請求項１〜請求項３の何れか１項に記載の液体ポンプ。
【発明の詳細な説明】
【技術分野】
【０００１】
本発明は、液体ポンプに関する。
【背景技術】
【０００２】
下記特許文献１に記載された液体ポンプでは、樹脂製のケース本体（モータハウジング）が略円筒形状に形成されており、ケース本体内にロータ及びステータが収容されている。また、ケース本体の長手方向一端部には、樹脂製のケースカバー（カバー）が固定されており、ケースカバーによって駆動回路基板が覆われている。
【先行技術文献】
【特許文献】
【０００３】
【特許文献１】特許４４２８５９３号公報
【発明の概要】
【発明が解決しようとする課題】
【０００４】
ところで、液体ポンプでは、ケース本体とケースカバーとの合わせ部分にシール材を充填するシール充填部を設けて、ケース本体とケースカバーとの間のシール性を当該シール材によって確保する場合がある。また、このとき、シール材の充填量が十分か否かの判別（すなわち、シール材の充填状態の良否の判別）を作業者の目視等によって行う場合がある。このため、液体ポンプでは、シール材の充填状態の良否を良好に判別できる構造にしておくことが望ましい。
【０００５】
本発明は、上記事実を考慮し、シール材の充填状態の良否を良好に判別することができる液体ポンプを提供することを目的とする。
【課題を解決するための手段】
【０００６】
請求項１に記載の液体ポンプは、内部にインペラが収容され、前記インペラが回転することで流入された液体を圧送するポンプ部と、樹脂により構成され、前記インペラの回転軸線方向に延在された筒状に形成されて前記インペラを回転させるモータ部を収容すると共に、長手方向一端部に前記インペラの径方向外側へ延出されたハウジング側フランジ部を有するモータハウジングと、金属により構成されると共に、前記モータハウジングの長手方向一方側に隣接し且つ前記モータハウジング側へ開口された有底筒状に形成され、前記モータ部の駆動を制御する回路基板を覆うカバーと、前記ハウジング側フランジ部の先端部に設けられ、前記ハウジング側フランジ部から前記モータハウジングの長手方向一方側へ突出されて前記カバーの開口端部を囲繞すると共に、前記カバーの開口端部との間にシール材が充填されるシール材充填部を形成する囲繞壁と、前記ハウジング側フランジ部に設けられ、前記ハウジング側フランジ部から前記モータハウジングの長手方向一方側へ突出されて前記シール材充填部の内部に配置され、前記シール材によって突出部分が視認不能に埋められると共に、先端の位置が前記シール材のシール高さの下限の位置に設定されている突出ピンと、を備え、前記カバーの開口端には、前記カバーの径方向外側へ延出され且つ前記シール材充填部に配置されたカバー側フランジ部が形成されており、前記カバー側フランジ部には、前記突出ピンが挿入されるカバー側孔部が形成されており、前記モータハウジングに対する前記カバーの位置が前記突出ピンによって決定される。
【０００７】
上記構成によれば、液体ポンプは樹脂製のモータハウジングを備えている。モータハウジングは、ポンプ部に収容されたインペラの回転軸線方向に延在された筒状に形成されており、モータハウジング内にモータ部が収容されている。また、モータハウジングの長手方向一端部には、インペラの径方向外側へ延出されたハウジング側フランジ部が形成されている。
【０００８】
さらに、モータハウジングの長手方向一方側には、金属製のカバーが隣接されている。このカバーは、モータハウジング側へ開口された有底筒状に形成されて、モータ部を駆動制御する回路基板を覆っている。そして、回路基板によってモータ部が駆動されることで、インペラが回転して、ポンプ部内に流入された液体が圧送される。
【０００９】
また、ハウジング側フランジ部の先端部には、囲繞壁が設けられている。この囲繞壁は、ハウジング側フランジ部からモータハウジンの長手方向一方側へ突出されて、カバーの開口端部を囲繞している。そして、囲繞壁とカバーの開口端部との間がシール材充填部とされており、シール材充填部にシール材が充填されている。これにより、モータハウジングとカバーとの間のシール性が確保される。
【００１０】
ここで、ハウジング側フランジ部には、モータハウジングの長手方向一方側へ突出された突出ピンが形成されており、突出ピンはシール材充填部の内部に配置されている。そして、突出ピンの突出部分がシール材によって視認不能に埋められると共に、突出ピンの先端の位置がシール材のシール高さの下限の位置に設定されている。このため、シール材充填部内におけるシール材の充填量を確保することができる。これにより、シール材によって突出ピンが視認不能な状態にされているのか否かを目視することで、シール材のシール材充填部への充填量が十分であるか否かを判別することができる。したがって、シール材の充填状態の良否を良好に判別することができる。
また、上記構成によれば、カバーの開口端には、カバーの径方向外側へ延出されたカバー側フランジ部が形成されており、カバー側フランジ部はシール材充填部に配置されている。そして、カバー側フランジ部には、突出ピンが挿入されるカバー側孔部が形成されており、モータハウジングに対するカバーの位置が突出ピンによって決定される。このため、シール材の充填状態の良否を判別する突出ピンを活用して、モータハウジングに対するカバーの位置を決定することができる。
【００１１】
請求項２に記載の液体ポンプは、内部にインペラが収容され、前記インペラが回転することで流入された液体を圧送するポンプ部と、樹脂により構成され、前記インペラの回転軸線方向に延在された筒状に形成されて前記インペラを回転させるモータ部を収容すると共に、長手方向一端部に前記インペラの径方向外側へ延出されたハウジング側フランジ部を有するモータハウジングと、金属により構成されると共に、前記モータハウジングの長手方向一方側に隣接し且つ前記モータハウジング側へ開口された有底筒状に形成され、前記モータ部の駆動を制御する回路基板を覆うカバーと、前記ハウジング側フランジ部の先端部に設けられ、前記ハウジング側フランジ部から前記モータハウジングの長手方向一方側へ突出されて前記カバーの開口端部を囲繞すると共に、前記カバーの開口端部との間にシール材が充填されるシール材充填部を形成する囲繞壁と、前記ハウジング側フランジ部に設けられ、前記ハウジング側フランジ部から前記モータハウジングの長手方向一方側へ突出され且つ前記シール材充填部の内部に配置されるピン本体部と、前記ピン本体部の先端から前記モータハウジングの長手方向一方側へ突出され且つ前記ピン本体部よりも断面積が小さく設定された先端突出部と、を含んで構成され、前記先端突出部の基端が前記シール材によって視認不能に埋められると共に、前記先端突出部の基端の位置が前記シール材のシール高さの下限の位置に設定され且つ前記先端突出部の先端の位置が前記シール材のシール高さの上限の位置に設定されている突出ピンと、を備えている。
【００１２】
上記構成によれば、ハウジング側フランジ部に突出ピンが設けられており、突出ピンはピン本体部と先端突出部とを含んで構成されている。そして、ピン本体部は、ハウジング側フランジ部からモータハウジングの長手方向一方側へ突出されて、シール材充填部の内部に配置されている。また、先端突出部は、ピン本体部の先端からモータハウジングの長手方向一方側へ突出されており、先端突出部の断面積がピン本体部の断面積よりも小さく設定されている。
【００１３】
ここで、先端突出部の基端が、シール材によって視認不能に埋められている。また、先端突出部の基端の位置が、シール材のシール高さの下限の位置に設定されており、先端突出部の先端の位置が、シール材のシール高さの上限の位置に設定されている。このため、シール材によって先端突出部の基端が視認不能な状態にされているのか否かを目視することで、シール材がシール高さの下限に到達したか否かを判別することができる。また、例えば、先端突出部の先端が視認不能になるまでシール材を充填するか否かで、シール材がシール高さの上限に到達したか否かを判別することができる。
【００１６】
請求項３に記載の液体ポンプは、請求項１に記載の発明において、前記モータハウジングには、前記モータ部を覆うと共に前記カバー側へ開放された有底筒状のホルダが収容され、前記ホルダの開口端には、前記囲繞壁側へ延びると共に前記カバー側フランジ部に対して前記モータハウジングの長手方向他方側に隣接して配置されたホルダ側フランジ部が形成されている。
【００１７】
上記構成によれば、モータハウジングに収容されたホルダによってモータ部が覆われている。このホルダはカバー側へ開放された有底筒状に形成されており、ホルダの開口端には、囲繞壁側へ延びるホルダ側フランジ部が形成されている。そして、ホルダ側フランジ部がカバー側フランジ部に対してモータハウジングの長手方向他方側に隣接して配置されている。これにより、ホルダの開口部とカバーの開口部との間の気密性をシール材によって確保しつつ、ホルダ及びカバーによって回路基板及びモータ部を覆うことができる。これにより、例えば、モータ部の作動時に生じる電気ノイズが液体ポンプの外部に漏れることを抑制できる。
【００１８】
請求項４に記載の液体ポンプは、請求項１〜請求項３の何れか１項に記載の発明において、前記囲繞壁の内周面には、段差部が形成されており、前記段差部は、前記囲繞壁の基端側に配置された基端側内周面と、前記基端側内周面から前記カバーの開口端部に対して離間する方向に延出された段差面と、前記段差面に接続されて前記囲繞壁の先端側に配置された先端側内周面と、を含んで構成され、前記段差面が前記シール材のシール高さの下限に設定されて、前記段差面に前記シール材が接触されている。
【００１９】
上記構成によれば、例えば、突出ピンに加えて段差面を、シール材をシール充填部に充填するときの目印として機能させることができる。これにより、シール材の充填状態の良否を一層良好に判別することができる。
【図面の簡単な説明】
【００２０】
【図１】本実施の形態に係るウォータポンプに適用されたシール構造を示す縦断面図（図３の１−１線拡大断面図）である。
【図２】本実施の形態に係るウォータポンプの全体を示す縦断面図（図３の２−２線断面図）である。
【図３】図２に示されるウォータポンプをモータハウジングの長手方向一方側から見た平面図である。
【図４】図１に示されるシール材の充填量が不足した例を説明するための図１に対応した縦断面図である。
【図５】図１に示される位置決めピンの変形例を示す縦断面図である。
【図６】（Ａ）は、図５の示される位置決めピンの接続面の変形例を示す縦断面図であり、（Ｂ）は、図５に示される先端突出部の変形例を示す縦断面図である。
【図７】図１に示される段差部の変形例を示す図１に対応した縦断面図である。
【発明を実施するための形態】
【００２１】
以下、図面を用いて本実施の形態に係る「液体ポンプ」としてのウォータポンプ１０について説明する。本実施の形態に係るウォータポンプ１０は、例えば車両（自動車）のエアコンヒータ用の冷却水（液体）を圧送するためのポンプとして用いられている。図２に示されるように、ウォータポンプ１０は、インペラ７０が収容され且つ冷却水を圧送するポンプ部１２と、インペラ７０を回転させるためのモータ部６０と、を備えている。また、ウォータポンプ１０は、モータ部６０を収容するモータハウジング３０と、モータ部６０を駆動制御するための回路装置９０と、を備えている。さらに、ウォータポンプ１０には、モータハウジング３０と回路装置９０の回路カバー９８との間をシールするシール構造１００が適用されている。
【００２２】
以下、上記各構成をポンプ部１２、モータハウジング３０、モータ部６０、及び回路装置９０の順で説明し、次いで、本発明の要部であるシール構造１００について説明する。なお、以下の説明では、図面に適宜示される矢印Ａ方向をポンプ下側（以下、単に「下側」という）とし、矢印Ｂ方向をポンプ上側（以下、単に「上側」という）としている。
【００２３】
（ポンプ部１２について）
ポンプ部１２はウォータポンプ１０の下部を構成している。ポンプ部１２はポンプケース１４を備えており、ポンプケース１４はポンプ部１２の外周部分を構成している。このポンプケース１４はケース本体部１６を有しており、ケース本体部１６は上側へ開放された略有底円筒形状に形成されている。ケース本体部１６の内部には、中央部において、インペラ７０を収容するインペラ収容部１８が形成されており、インペラ収容部１８は、上側へ開放された略凹状に形成されている。さらに、ケース本体部１６の内部には、インペラ収容部１８に対してケース本体部１６の径方向外側において、流路２０が形成されている。この流路２０は、上側へ開放された断面略Ｕ字形状に形成されると共に、ケース本体部１６の周方向に沿って延在されている。
【００２４】
また、ケース本体部１６の下壁には、中央部（ウォータポンプ１０の軸心部）において、入口管２２が一体に形成されている。入口管２２は、略円管状に形成されて、ケース本体部１６から下側へ延出されている。また、入口管２２はインペラ収容部１８と連通されており、冷却水が入口管２２からケース本体部１６の内部へ流入されるようになっている。
【００２５】
さらに、ケース本体部１６の外周部には、出口管２４（図３参照）が一体に形成されている。この出口管２４は、管状に形成されて、ケース本体部１６の側壁からウォータポンプ１０の軸線に対して直交する方向に延出されている。そして、出口管２４の内部は流路２０の内部と連通されており、ケース本体部１６内に流入された冷却水が出口管２４から流出されるようになっている。
【００２６】
また、ケース本体部１６の開放端部には、ポンプ側フランジ部２６が一体に形成されており、ポンプ側フランジ部２６は、ケース本体部１６からケース本体部１６の径方向外側へ延出されると共に、ケース本体部１６の全周に亘って略リング状に形成されている。このポンプ側フランジ部２６の上面には、略円筒形状のリブ２６Ａが立設されており、リブ２６Ａはケース本体部１６の全周に亘って形成されて、ポンプ側フランジ部２６から上側へ突出されている。
【００２７】
（モータハウジング３０について）
モータハウジング３０は、ウォータポンプ１０の上下方向中間部を構成すると共に、ポンプ部１２に対して上側に配置されている。このモータハウジング３０は、全体として上側へ開放された略有底円筒状に形成されて、入口管２２（ウォータポンプ１０の軸線）と同軸上に配置されている。具体的には、モータハウジング３０は、モータハウジング３０の径方向外側部分を構成する外筒部３２を有しており、外筒部３２は上側へ開放された略有底円筒状に形成されている。また、モータハウジング３０は、モータハウジング３０の径方向内側部分を構成する内筒部３４を有している。この内筒部３４は、下側へ開放された略有底円筒状に形成されており、内筒部３４の開放端（下端）が外筒部３２の底壁に結合されている。
【００２８】
そして、外筒部３２と内筒部３４との間の空間が、後述するステータ８０を収容するためのステータ収容部３６とされており、ステータ収容部３６は上側へ開放された略円環状の空間に形成されている。さらに、内筒部３４の内側の空間が、後述するロータ６２を収容するためのロータ収容部３８とされている。
【００２９】
また、外筒部３２の外周部分を構成する外筒壁３２Ａの下端部には、下側結合部４０が一体に形成されている。下側結合部４０は、外筒壁３２Ａからモータハウジング３０の径方向外側へ延出され、外筒壁３２Ａの全周に亘って略リング状に形成されると共に、前述したポンプ側フランジ部２６と上下方向に対向して配置されている。また、下側結合部４０の下面には、前述したポンプ側フランジ部２６のリブ２６Ａと対応する位置において、リブ収容凹部４０Ａが形成されている。リブ収容凹部４０Ａは、下側へ開放されると共に、モータハウジング３０の軸方向から見て円環状（リング状）に形成されている。そして、リブ収容凹部４０Ａ内にポンプケース１４のリブ２６Ａが収容された状態で、下側結合部４０とポンプ側フランジ部２６とが結合されている。また、この状態では、外筒部３２の底壁がポンプケース１４内に入り込むと共に、ポンプケース１４内とロータ収容部３８内とが連通されている。
【００３０】
一方、外筒壁３２Ａの上端部（モータハウジング３０の長手方向一端部）には、ハウジング側フランジ部４２が一体に形成されている。ハウジング側フランジ部４２は、外筒壁３２Ａからモータハウジング３０の径方向外側へ延出されると共に、外筒壁３２Ａの全周に亘って所定の形状に形成されている（図３参照）。また、ハウジング側フランジ部４２の先端部には、囲繞壁４３が一体に形成されている。囲繞壁４３は、ハウジング側フランジ部４２から上側（モータハウジング３０の長手方向一方側）へ突出されると共に、ハウジング側フランジ部４２の全周に亘って枠状に形成されている。なお、囲繞壁４３については、後述するシール構造１００の説明において詳述する。
【００３１】
さらに、図３に示されるように、ハウジング側フランジ部４２には、囲繞壁４３に対してモータハウジング３０の径方向外側において、外部コネクタ（図示省略）と嵌合されるコネクタ部４４が一体に形成されている。このコネクタ部４４は、上側へ開放された略有底矩形筒状に形成されて、ハウジング側フランジ部４２から上側へ突出されている。また、モータハウジング３０には、外部コネクタと接続されるコネクタターミナル４６が設けられており、コネクタターミナル４６の一端部が、コネクタ部４４の内部に配置されている。さらに、図示は省略するが、コネクタターミナル４６は所定の形状に屈曲されており、コネクタターミナル４６の他端部が、モータハウジング３０から上側へ延出されて、後述する回路基板９６に接続されている。
【００３２】
また、図２に示されるように、内筒部３４の底壁には、中央部において、略円筒形状の支持部４８が一体に形成されている。支持部４８は、ポンプ部１２の入口管２２と同軸上に配置されて、内筒部３４の底壁から下側へ突出されている。さらに、内筒部３４内には、円柱状の回転軸５０が設けられており、回転軸５０は支持部４８と同軸上に配置されている。そして、回転軸５０の上端部が支持部４８に固定支持されており、回転軸５０は支持部４８から下側へ突出されている。
【００３３】
さらに、図１及び図３に示されるように、ハウジング側フランジ部４２の上面には、囲繞壁４３に対してモータハウジング３０の径方向内側の位置において、複数（本実施の形態では２個）の「突出ピン」としての位置決めピン５２が一体に形成されている。この位置決めピン５２は、後述する回路カバー９８の位置決め用のピンとして構成され、略円柱形状に形成されると共に、ハウジング側フランジ部４２から上側へ突出されている。
【００３４】
（モータ部６０について）
図２に示されるように、モータ部６０は、ロータ６２とステータ８０とを含んで構成されている。ロータ６２は、モータハウジング３０のロータ収容部３８内に収容されている。また、ロータ６２は、略円筒状に形成されると共に、回転軸５０の径方向外側で且つ回転軸５０と同軸上に配置されている。このロータ６２の内部には、複数のマグネット６３が設けられており、マグネット６３はロータ６２の周方向に沿って配置されている。また、ロータ６２の径方向内側には、軸受６４がロータ６２とは離間して設けられている。この軸受６４は、略円筒形状に形成されて、回転軸５０に回転可能に支持されている。そして、軸受６４とロータ６２とが、樹脂材により構成されたモールド部６６によって一体に成形されている。これにより、ロータ６２が軸受６４を介して回転軸５０に回転可能に支持されている。
【００３５】
また、モールド部６６の下端部には、インペラ７０を構成する第１円盤部７２及びブレード７４が一体に形成されている。第１円盤部７２は、略円板状に形成されて、板厚方向を回転軸５０の軸方向にして回転軸５０と同軸上に配置されている。また、ブレード７４は、第１円盤部７２から下側へ突出されている。さらに、ブレード７４の下側には、インペラ７０を構成する第２円盤部７６が設けられている。第２円盤部７６は、略円板状に形成されると共に、第１円盤部７２とブレード７４を介して対向するように配置されて、ブレード７４と一体に結合されている。
【００３６】
ステータ８０は、環状に形成されたステータコア８２と、導電性を有する巻線８４と、を含んで構成されて、モータハウジング３０のステータ収容部３６内に収容されている。ステータコア８２は、所定の形状に打ち抜かれた複数の鋼板によって構成されており、当該鋼板が板厚方向を上下方向にして上下方向に積層されている。そして、ステータコア８２には、自身の径方向外側へ延びる複数のティース部８２Ａが形成されている。
【００３７】
巻線８４は、ステータコア８２のティース部８２Ａに巻回されている。これにより、ティース部８２Ａの外周部に沿って巻き回された巻線部８４Ａが形成されている。また、巻線８４の端末部は、モータハウジング３０（ステータ収容部３６）から上側へ延出されて、後述する回路基板９６に接続されている。なお、巻線部８４Ａとティース部８２Ａとの間には、絶縁部材８５が介装されている。
【００３８】
また、ステータ８０は、「ホルダ」としてのステータホルダ８６によって覆われている。ステータホルダ８６は、鋼板で製作されると共に、上側へ開放された略有底円筒形状に形成されている。また、ステータホルダ８６の底壁には、円形状の配置孔８６Ａが上下方向に貫通形成されている。そして、ステータ８０がステータホルダ８６内に配置された状態で、ステータ８０及びステータホルダ８６がステータ収容部３６内に収容されている。また、この状態では、モータハウジング３０の内筒部３４が配置孔８６Ａの内側に配置されている。
【００３９】
また、ステータホルダ８６の開放端（上端）には、ホルダ側フランジ部８６Ｂが一体に形成されている。このホルダ側フランジ部８６Ｂは、ステータホルダ８６の開放端からステータホルダ８６の径方向外側へ延出されて、モータハウジング３０のハウジング側フランジ部４２の上側で且つ囲繞壁４３の内側に配置されている。さらに、図１に示されるように、ホルダ側フランジ部８６Ｂには、前述した位置決めピン５２に対応する位置において、２箇所のホルダ側孔部８６Ｂａが貫通形成されており、ホルダ側孔部８６Ｂａ内に位置決めピン５２が挿入されている。また、ホルダ側フランジ部８６Ｂには、後述する回路カバー９８を締結固定するための複数（本実施の形態では４箇所）のバーリング（図示省略）が形成されており、バーリングは、略円筒状に形成されて、ホルダ側フランジ部８６Ｂから下側へ突出されている。
【００４０】
（回路装置９０について）
図２に示されるように、回路装置９０は、ウォータポンプ１０の上部を構成すると共に、モータハウジング３０の上側に配置されている。また、回路装置９０は、プレートユニット９２と、回路基板９６と、「カバー」としての回路カバー９８と、を含んで構成されている。
【００４１】
プレートユニット９２は、略円盤状に形成されて、モータハウジング３０に対して上側に配置されている。このプレートユニット９２は、樹脂材で構成されたプレート本体９３と、鋼板で構成され且つ略リング状に形成されたリングプレート９４と、を有している。そして、リングプレート９４がプレート本体９３の下側に配置された状態で、プレート本体９３及びリングプレート９４が一体に成形されている。
【００４２】
さらに、リングプレート９４には、複数の固定孔（図示省略）が形成されている。そして、リングプレート９４がステータホルダ８６のホルダ側フランジ部８６Ｂの上側に隣接して配置されており、固定孔内にネジ等の締結部材が挿入されて、プレートユニット９２がホルダ側フランジ部８６Ｂに締結固定されている。
【００４３】
また、リングプレート９４には、後述する回路基板９６を固定するための複数の固定片９４Ｂが一体に形成されている。この固定片９４Ｂは、リングプレート９４の外周部から上側へ延出されており、固定片９４Ｂの先端部がリングプレート９４の径方向内側へ屈曲されている。そして、固定片９４Ｂの先端部には、後述する回路基板９６を締結するためのバーリング９４Ｃが形成されており、バーリング９４Ｃは上側へ開放された略有底円筒状に形成されている。
【００４４】
さらに、プレートユニット９２には、図示しないガイド孔が上下方向に貫通形成されており、ガイド孔内に、前述したコネクタターミナル４６の他端部及び巻線８４の端末部が挿入されるようになっている。
【００４５】
回路基板９６は、略円板状に形成されて、板厚方向を上下方向にしてプレートユニット９２の上側に配置されている。そして、前述したリングプレート９４のバーリング９４Ｃにネジ（図示省略）が挿入されて、該ネジによって回路基板９６がプレートユニット９２に固定されている。また、回路基板９６には、複数の回路素子９６Ａが実装されると共に、前述したコネクタターミナル４６の他端部及び巻線８４の端末部が接続されている。
【００４６】
回路カバー９８は、鋼板で製作されると共に、下側（モータハウジング３０側）へ開口された略有底円筒形状に形成されて、回転軸５０と同軸上に配置されている。また、回路カバー９８の開口端（下端）には、カバー側フランジ部９８Ａが一体に形成されており、カバー側フランジ部９８Ａは、回路カバー９８の開口端から回路カバー９８の径方向外側へ延出されると共に、回路カバー９８の全周に亘って形成されている。また、平面視におけるカバー側フランジ部９８Ａの先端部の形状は、モータハウジング３０の囲繞壁４３の形状に対応して形成されている。
【００４７】
また、図１及び図３に示されるように、カバー側フランジ部９８Ａには、前述した位置決めピン５２に対応した位置において、一対の「カバー側孔部」としての位置決め孔９８Ｂが形成されている。この位置決め孔９８Ｂは円形状に形成されており、位置決め孔９８Ｂの直径が位置決めピン５２の直径に対して僅かに大きく設定されている。そして、図２に示されるように、回路カバー９８は、回路基板９６及びプレートユニット９２を覆うと共に、モータハウジング３０の上端部を閉塞している。具体的には、モータハウジング３０の位置決めピン５２がカバー側フランジ部９８Ａの位置決め孔９８Ｂ内に挿入され（図１参照）、カバー側フランジ部９８Ａが、モータハウジング３０の囲繞壁４３の内側に且つステータホルダ８６のホルダ側フランジ部８６Ｂの上側に隣接（対向）して配置されている。これにより、位置決めピン５２がカバー側フランジ部９８Ａの上面に対して上側へ突出されている。また、モータハウジング３０に対する回路カバー９８の上下位置がホルダ側フランジ部８６Ｂによって決まるようになっており、モータハウジング３０に対する回路カバー９８の径方向及び周方向の位置が位置決めピン５２によって決まるようになっている。
【００４８】
また、カバー側フランジ部９８Ａには、図示しない固定孔が形成されており、当該固定孔内にネジ９９（図３参照）が挿入され、ネジ９９がホルダ側フランジ部８６Ｂのバーリングに螺合されることによって、カバー側フランジ部９８Ａがホルダ側フランジ部８６Ｂに締結固定されている。具体的には、図３に示されるように、カバー側フランジ部９８Ａが４個のネジ９９によってホルダ側フランジ部８６Ｂに締結固定されており、ネジ９９は、カバー側フランジ部９８Ａの周方向に所定の間隔を空けて配置されている（より詳しくは、一対のネジ９９が、一対の位置決めピン５２の間にそれぞれ配置されている）。これにより、カバー側フランジ部９８Ａ及び回路カバー９８の開口端部９８Ｃ（図１参照）が、モータハウジング３０の囲繞壁４３によって囲繞されている。なお、囲繞壁４３の先端（上端）は、ネジ９９の頭部に対して上側に配置されている。つまり、ネジ９９の頭部が囲繞壁４３の先端（上端）よりも上側へ突出しないように構成されている。
【００４９】
次にシール構造１００についてする。図１に示されるように、シール構造１００は、回路カバー９８の開口端部９８Ｃとモータハウジング３０の囲繞壁４３との間の部位に適用されている。そして、シール構造１００は、前述した位置決めピン５２と、囲繞壁４３の内周面に形成された段差部４３Ａと、シール材１０４と、を含んで構成されている。
【００５０】
段差部４３Ａは、囲繞壁４３の内周面に形成されると共に、縦断面視で段差状を成して、囲繞壁４３の全周に亘って形成されている。具体的には、段差部４３Ａは、囲繞壁４３の基端側（図１の矢印Ａ方向側）の部分を構成する基端側内周面４３Ａ１と、囲繞壁４３の先端（上端）側（図１の矢印Ｂ方向側）の部分を構成する先端側内周面４３Ａ２と、基端側内周面４３Ａ１及び先端側内周面４３Ａ２を連結する段差面４３Ａ３と、を含んで構成されている。
【００５１】
基端側内周面４３Ａ１は、縦断面視で回路カバー９８の開口端部９８Ｃと平行にモータハウジング３０の長手方向（図１の矢印Ａ方向及び矢印Ｂ方向）に延びている。また、先端側内周面４３Ａ２は、縦断面視で基端側内周面４３Ａ１よりもモータハウジング３０の径方向外側（回路カバー９８の開口端部９８Ｃに対して離間する方向側）に配置されると共に、回路カバー９８の開口端部９８Ｃと平行にモータハウジング３０の長手方向に延びている。換言すると、先端側内周面４３Ａ２における囲繞壁４３の板厚が、基端側内周面４３Ａ１における囲繞壁４３の板厚よりも薄く設定されている。
【００５２】
そして、段差面４３Ａ３が、基端側内周面４３Ａ１の上端から回路カバー９８の開口端部９８Ｃに対して離間する方向へ延びて、先端側内周面４３Ａ２の下端に接続されている。具体的には、段差面４３Ａ３は、縦断面視で、モータハウジング３０の径方向外側へ向かうに従い囲繞壁４３の先端側へ傾斜されている。また、段差面４３Ａ３は、前述したモータハウジング３０の位置決めピン５２の先端よりも上側（モータハウジング３０の長手方向一方側）に配置されるように、モータハウジング３０の長手方向における段差面４３Ａ３の位置が設定されている。さらに、段差面４３Ａ３は、上下方向において、前述したカバー側フランジ部９８Ａを固定するネジ９９の頭部の先端と略同じ位置に配置されている。
【００５３】
そして、囲繞壁４３、回路カバー９８のカバー側フランジ部９８Ａ、及び回路カバー９８の開口端部９８Ｃによって囲まれた領域がシール材充填部１０２とされている。すなわち、シール材充填部１０２は、上側へ開放された略溝状に形成されると共に、回路カバー９８の周方向全周に亘って形成されている。そして、シール材充填部１０２の内部には、前述した位置決めピン５２（の先端部）及びネジ９９の頭部が配置されている。
【００５４】
さらに、シール材充填部１０２内にシール材１０４が充填（塗布）されて、回路カバー９８とモータハウジング３０との間がシール材１０４によってシールされている。具体的には、シール材１０４が先端側内周面４３Ａ２まで充填されて、位置決めピン５２がシール材１０４によって埋まるようになっている。つまり、一対の位置決めピン５２、囲繞壁４３の基端側内周面４３Ａ１，及び段差面４３Ａ３がシール材１０４によって視認不能になるまでシール材１０４がシール材充填部１０２内に充填されるようになっている。また、シール材充填部１０２内における一対の位置決めピン５２の間の部分では、ネジ９９の頭部がシール材１０４によって埋まるようになっている。つまり、シール材充填部１０２内における当該部分では、ネジ９９の頭部が視認不能になるまでシール材１０４がシール材充填部１０２内に充填されるようになっている。なお、位置決めピン５２の突出高さは、回路カバー９８とモータハウジング３０との間のシール性を確保できるシール材１０４のシール高さに設定されている。換言すると、位置決めピン５２の先端（上端）の位置が、シール材１０４のシール高さの下限の位置に設定されている。また、前述した段差面４３Ａ３は、位置決めピン５２の先端よりも上側に配置されているため、段差面４３Ａ３がシール材１０４のシール高さの下限よりも上側の位置に設定されている。
【００５５】
次に本実施の形態の作用及び効果について説明する。
【００５６】
上記のように構成されたウォータポンプ１０では、外部コネクタがコネクタ部４４に接続されて、モータ部６０を駆動制御する電力が外部コネクタから回路装置９０へ供給される。これにより、モータ部６０が駆動して、モータ部６０のロータ６２が回転軸５０の軸線回りに回転すると共に、インペラ７０が回転軸５０の軸線回りに回転する。そして、インペラ７０が回転することで、ポンプ部１２の入口管２２からポンプケース１４内に流入された冷却水が圧送されて出口管２４から流出される。
【００５７】
また、ウォータポンプ１０では、モータハウジング３０の上端部を構成するハウジング側フランジ部４２の先端部に囲繞壁４３が設けられている。この囲繞壁４３は、ハウジング側フランジ部４２から上側へ突出されると共に、略枠状に形成されて、回路カバー９８の開口端部９８Ｃを囲繞している。そして、囲繞壁４３と回路カバー９８の開口端部９８Ｃとの間のシール材充填部１０２にシール材１０４が充填されている。これにより、モータハウジング３０と回路カバー９８との間のシール性がシール材１０４によって確保されている。
【００５８】
ここで、モータハウジング３０のハウジング側フランジ部４２には、上側（モータハウジング３０の長手方向一方側）へ突出された位置決めピン５２が形成されており、位置決めピン５２（の先端部）はシール材充填部１０２の内部に配置されている。そして、位置決めピン５２がシール材１０４によって視認不能に埋められており、位置決めピン５２の先端（上端）の位置が、シール材１０４のシール高さの下限の位置に設定されている。このため、シール材１０４によって位置決めピン５２が視認不能な状態にされているのか否かを目視することで、シール材１０４のシール材充填部１０２への充填量が十分であるか否かを判別することができる。換言すると、位置決めピン５２の突出高さは、回路カバー９８とモータハウジング３０との間のシール性を確保できるシール材１０４のシール高さに設定されているため、位置決めピン５２がシール材１０４によって視認不能になるまでシール材１０４をシール材充填部１０２に充填することで、シール材充填部１０２内におけるシール材１０４の充填量を確保することができる。
【００５９】
すなわち、位置決めピン５２が視認可能な状態でシール材１０４がシール材充填部１０２に充填された場合には、図４に示されるように、シール材１０４のシール高さが不足した状態でシール材１０４がシール材充填部１０２内に充填される。したがって、この状態では、シール材１０４によるモータハウジング３０と回路カバー９８との間のシール性を十分に確保することができなくなる虞がある。
【００６０】
これに対して、図１に示されるように、位置決めピン５２が視認不能な状態になるまでシール材１０４をシール材充填部１０２に充填することで、シール材充填部１０２に充填されたシール材１０４のシール高さを確保することができる。したがって、この状態までシール材１０４をシール材充填部１０２に充填することで、シール材１０４によるモータハウジング３０と回路カバー９８との間のシール性を十分に確保することができる。以上により、本実施の形態のウォータポンプ１０によれば、シール材１０４によって位置決めピン５２が視認不能な状態にされているのか否かを目視することで、シール材１０４の充填状態の良否を良好に判別することができる。なお、図１では、シール材１０４が回路カバー９８の開口端部９８Ｃまで塗布されていない例が示されているが、シール材１０４を回路カバー９８の開口端部９８Ｃまで塗布するようにシール材１０４をシール材充填部１０２に充填してもよい。
【００６１】
また、回路カバー９８のカバー側フランジ部９８Ａには、位置決めピン５２が挿入される位置決め孔９８Ｂが形成されており、モータハウジング３０の径方向及び周方向におけるモータハウジング３０に対する回路カバー９８の位置が位置決めピン５２によって決定される。このため、シール材１０４のシール材充填部１０２への充填状態の良否を判別するための位置決めピン５２を活用して、モータハウジング３０に対する回路カバー９８の位置を決定することができる。
【００６２】
さらに、モータハウジング３０に収容されたステータホルダ８６によってモータ部６０が覆われている。また、ステータホルダ８６の開口端に形成されたホルダ側フランジ部８６Ｂが、回路カバー９８のカバー側フランジ部９８Ａに対して下側（モータハウジング３０の長手方向他方側）に隣接して配置されている。これにより、ステータホルダ８６の開口部と回路カバー９８の開口部との間の気密性をシール材１０４によって確保しつつ、ステータホルダ８６及び回路カバー９８によって回路基板９６及びモータ部６０を覆うことができる。これにより、例えば、モータ部６０の作動時に生じる電気ノイズがウォータポンプ１０の外部に漏れることを抑制できる。
【００６３】
また、囲繞壁４３の内周面には、段差部４３Ａが形成されており、シール材１０４が囲繞壁４３の基端側内周面４３Ａ１及び段差面４３Ａ３を埋めるようにシール材充填部１０２内に充填されている。また、段差面４３Ａ３がシール材１０４のシール高さの下限よりも上側の位置に設定されている。このため、位置決めピン５２に加えて段差面４３Ａ３を、シール材１０４をシール材充填部１０２に充填するときの目印として機能させることができる。これにより、シール材１０４の充填状態の良否を一層良好に判別することができる。
【００６４】
また、シール材充填部１０２内における一対の位置決めピン５２の間の部分では、ネジ９９の頭部が視認不能になるまでシール材１０４がシール材充填部１０２内に充填されるようになっている。このため、一対の位置決めピン５２の間の部分では、ネジ９９を用いてシール材１０４の充填状態の良否を判別することができる。
【００６５】
（位置決めピン５２の変形例）
次に、位置決めピン５２の変形例について図５を用いて説明する。図５に示された位置決めピン５２は、モータハウジング３０のハウジング側フランジ部４２から上側（モータハウジング３０の長手方向一方側）へ突出された略円柱状のピン本体部５４と、ピン本体部５４の先端から上側へ突出された略円柱状の先端突出部５６と、を含んで構成されている。そして、先端突出部５６がピン本体部５４に対して小径に設定されている。つまり、先端突出部５６の断面積がピン本体部５４の断面積に比べて小さく設定されており、上方側から見て、先端突出部５６がピン本体部５４の外周面に対してピン本体部５４の径方向内側に配置されている。また、ピン本体部５４の先端部における外周面には、先端突出部５６の基端とピン本体部５４の外周面とを接続する接続面５４Ａが形成されており、接続面５４Ａは、先端突出部５６の基端から下側へ向かうに従いピン本体部５４の径方向外側へ傾斜されている。そして、先端突出部５６の基端の位置がシール材１０４のシール高さの下限の位置に設定されており、先端突出部５６の先端の位置がシール材１０４のシール高さの上限の位置に設定されている。
【００６６】
そして、先端突出部５６の基端が、シール材１０４によって視認不能に埋められている。換言すると、ピン本体部５４の接続面５４Ａがシール材１０４によって視認不能に埋められている。このため、シール材１０４によって先端突出部５６の基端が視認不能な状態にされているのか否かを目視することで、シール材１０４がシール高さの下限に到達したか否かを判別することができる。また、例えば、先端突出部５６の先端が視認不能になるまで（換言すると、先端突出部５６（位置決めピン５２）の全体が視認不能になるまで）シール材１０４を充填するか否かで、シール材１０４がシール高さの上限に到達したか否かを判別することができる。
【００６７】
また、先端突出部５６の基端とピン本体部５４の外周面とを接続する接続面５４Ａが、先端突出部５６の基端から下側へ向かうに従いピン本体部５４の径方向外側へ傾斜されている。このため、シール材１０４をシール材充填部１０２に充填したときには、シール材１０４が、接続面５４Ａを這いあがり、接続面５４Ａを徐々に視認不能にするように充填される。これにより、シール材１０４のシール高さの変化を認識することができる。その結果、シール材１０４をシール材充填部１０２に充填するときの作業性を一層向上することができる。
【００６８】
なお、上記位置決めピン５２における変形例では、先端突出部５６の基端とピン本体部５４の外周面とを接続する接続面５４Ａが、先端突出部５６の基端から下側へ向かうに従いピン本体部５４の径方向外側へ傾斜されている。これに代えて、図６（Ａ）に示されるように、先端突出部５６の基端とピン本体部５４の外周面とを接続する接続面５４Ａを、上下方向（モータハウジング３０の長手方向）に対して直交する方向に沿って配置してもよい。換言すると、ピン本体部５４の先端面を、上下方向に対して直交する方向に沿う面に形成して、当該先端面に先端突出部５６を形成してもよい。
【００６９】
また、上記位置決めピン５２における変形例では、先端突出部５６が円柱状（すなわち、先端突出部５６の断面が円形）に形成されているが、先端突出部５６の形状はこれに限らない。例えば、図６（Ｂ）に示されるように、先端突出部５６の断面形状を多角形（図６（Ｂ）に示される例では六角形）に形成してもよい。この場合には、図６（Ｂ）に示されるように、位置決めピン５２の先端側から見て、先端突出部５６における外形の頂点がピン本体部５４の外周面と一致するように配置してもよい。すなわち、先端突出部５６の断面積を任意に設定することができる。
【００７０】
また、本実施の形態では、モータハウジング３０の囲繞壁４３に形成された段差部４３Ａにおいて、段差面４３Ａ３が縦断面視でモータハウジング３０の径方向外側へ向かうに従い囲繞壁４３の先端側へ傾斜されている。これに代えて、図７に示されるように、段差面４３Ａ３をモータハウジング３０の長手方向に対して直交する方向に沿って配置してもよい。これにより、樹脂製のモータハウジング３０と金属製の回路カバー９８との間をシールするシール材１０４のモータハウジング３０（囲繞壁４３）に対する剥離を抑制できる。
【００７１】
この点について図７を用いて説明する詳述する。モータハウジング３０（囲繞壁４３）は樹脂により構成されており、回路カバー９８は金属により構成されている。このため、モータハウジング３０（囲繞壁４３）の線膨張係数が回路カバー９８の線膨張係数に比べて大きくなっている。これにより、例えば、ウォータポンプ１０の環境温度が高温になると、囲繞壁４３が回路カバー９８の開口端部９８Ｃに対して離間する方向（図７の矢印Ｃ方向）へ伸びる（相対的に変位する）。
【００７２】
そして、仮に、囲繞壁４３の基端側内周面４３Ａ１と先端側内周面４３Ａ２とが面一に形成された場合（すなわち、段差面４３Ａ３が省略された場合であり、以下この場合を比較例という）には、囲繞壁４３が回路カバー９８の開口端部９８Ｃに対して離間する方向へ伸びることで、囲繞壁４３の内周面に対して略直交する方向の引張り荷重がシール材１０４と囲繞壁４３の内周面との間に作用する（図７の矢印Ｆ１参照）。これにより、当該引張り荷重がシール材１０４の囲繞壁４３に対する剥離強度を上回ると、シール材１０４と囲繞壁４３との間でシール材１０４の剥離が生じる。
【００７３】
これに対して、段差部４３Ａは段差面４３Ａ３を含んで構成されており、段差面４３Ａ３は基端側内周面４３Ａ１から回路カバー９８の開口端部９８Ｃに対して離間する方向に延出されている。このため、上記比較例と比べて、シール材１０４と囲繞壁４３との接触面積を大きくできる。
【００７４】
しかも、高温環境下において囲繞壁４３が回路カバー９８の開口端部９８Ｃに対して離間する方向へ伸びた（相対的に変位した）ときには、シール材１０４と段差面４３Ａ３との間において、上記のような引張荷重が作用することが抑制されて、段差面４３Ａ３に沿う方向のせん断荷重が主に作用する（図７の矢印Ｆ２参照）。これにより、段差面４３Ａ３におけるシール材１０４の剥離強度を、基端側内周面４３Ａ１におけるシール材１０４の剥離強度に比べて高くできる。その結果、上記比較例と比べて、シール材１０４の囲繞壁４３に対する剥離強度を高くできる。以上により、樹脂製のモータハウジング３０と金属製の回路カバー９８との間をシールするシール材１０４の剥離を抑制できる。
【００７５】
また、本実施の形態では、位置決めピン５２によってモータハウジング３０に対する回路カバー９８の位置を決定しているが、位置決めピン５２によってモータハウジング３０に対するステータホルダ８６の位置をも決定するように構成してもよい。例えば、ホルダ側フランジ部８６Ｂに形成されたホルダ側孔部８６Ｂａの径寸法を位置決めピン５２の直径に対して僅かに大きく設定してもよい。これにより、モータハウジング３０に対するステータホルダ８６の位置を決定するピンとして、位置決めピン５２を機能させることができる。
【００７６】
また、本実施の形態では、モータハウジング３０の囲繞壁４３に段差部４３Ａが形成されているが、囲繞壁４３において段差部４３Ａを省略してもよい。すなわち、シール材１０４の充填量を判別する目印を位置決めピン５２のみで構成してもよい。
【００７７】
また、本実施の形態では、段差面４３Ａ３がシール材１０４のシール高さの下限よりも上側の位置に設定されている。これに代えて、段差面４３Ａ３をシール材１０４のシール高さの下限の位置に設定してもよい。つまり、段差面４３Ａ３はシール材１０４に視認不能に埋められるため、段差面４３Ａ３の上端の位置がシール材１０４のシール高さの下限の位置に設定される。
【００７８】
また、本実施の形態では、モータハウジング３０に位置決めピン５２が２箇所形成されているが、位置決めピン５２の個数は任意に設定可能である。
【００７９】
また、本実施の形態では、回路カバー９８のカバー側フランジ部９８Ａが平板状に形成されているが、上側へ突出された略円柱状のダボ１０６（図３参照）をカバー側フランジ部９８Ａに形成してもよい。具体的には、ダボ１０６を一対の位置決めピン５２の間に形成すると共に、ダボ１０６の突出高さを位置決めピン５２のカバー側フランジ部９８Ａからの突出高さと同じに設定して、ダボ１０６がシール材１０４によって視認不能に埋められるように構成してもよい。これにより、シール充填部１０２における位置決めピン５２が配置されていない部分のシール材１０４の充填状態の良否を、ダボ１０６を用いて判別することができる。
【符号の説明】
【００８０】
１０・・・ウォータポンプ（液体ポンプ）、１２・・・ポンプ部、３０・・・モータハウジング、４２・・・ハウジング側フランジ部、４３・・・囲繞壁、４３Ａ 段差部、４３Ａ１・・・基端側内周面、４３Ａ２・・・先端側内周面、４３Ａ３・・・段差面、５２・・・位置決めピン（突出ピン）、５４・・・ピン本体部、５６・・・先端突出部、６０・・・モータ部、８６・・・ステータホルダ（ホルダ）、８６Ｂ・・・ホルダ側フランジ部、８６Ｂａ・・・ホルダ側孔部、９６・・・回路基板、９８・・・回路カバー（カバー）、９８Ａ・・・カバー側フランジ部、９８Ｂ・・・位置決め孔（カバー側孔部）、９８Ｃ・・・開口端部（カバーの開口端部）、１０２・・・シール材充填部、１０４・・・シール材
【図１】
0006439538.tif 000002
【図２】
0006439538.tif 000003
【図３】
0006439538.tif 000004
【図４】
0006439538.tif 000005
【図５】
0006439538.tif 000006
【図６】
0006439538.tif 000007
【図７】
0006439538.tif 000008